(57)【要約】【課題】ダイレクトインダイヤル番号のダイヤルにかかる手間を解消する電話システムおよび電話装置を提供する。【解決手段】外線と内線とを収容する主装置２１０と、内線に接続される内線端末２４０からなり、主装置は、内線端末のダイレクトインダイヤル番号を通知するダイレクトインダイヤル番号通知手段を具備し、外線に接続された電話機３から、着信後予め設定された特定のコマンドを受信したとき、ダイレクトインダイヤル番号通知手段は、内線端末を含むダイレクトインダイヤル番号リストを電話機３へ送信する電話システム２により、達成できる。【選択図】図４
2008060826.tif 000002
【特許請求の範囲】
【請求項１】
外線と内線とを収容する主装置と、前記内線に接続される内線端末から成る電話システムにおいて、
前記主装置は、前記内線端末のダイレクトインダイヤル番号を通知するダイレクトインダイヤル番号通知手段を具備し、
前記外線から、着信後予め設定された特定のコマンドを受信したとき、前記ダイレクトインダイヤル番号通知手段は、前記内線端末のダイレクトインダイヤル番号リストを前記外線へ送信することを特徴とする電話システム。
【請求項２】
請求項１に記載の電話システムであって、
前記主装置は、前記外線から着信した相手電話番号を取得する相手電話番号取得手段と、ダイレクトインダイヤル番号の送信可否を判定する送信可否判定手段とをさらに具備し、
前記送信可否判定手段が、前記相手電話番号取得手段が取得した前記相手電話番号が、ダイレクトインダイヤル番号送信可と登録されていると判定したとき、前記ダイレクトインダイヤル番号通知手段は、前記内線端末を含むダイレクトインダイヤル番号リストを前記外線へ送信することを特徴とする電話システム。
【請求項３】
請求項１に記載の電話システムであって、
前記主装置は、前記外線から着信した相手電話番号を取得する相手電話番号取得手段と、ダイレクトインダイヤル番号の送信可否を判定する送信可否判定手段とをさらに具備し、
前記送信可否判定手段が、前記相手電話番号取得手段が取得した前記電話機の電話番号が、ダイレクトインダイヤル番号送信可と登録されていないと判定したとき、前記ダイレクトインダイヤル番号通知手段は、予め登録された特定のダイレクトインダイヤル番号を前記電話機へ送信することを特徴とする電話システム。
【請求項４】
通信相手からのダイレクトインダイヤル番号リストを受信するダイレクトインダイヤル番号リスト受信手段と、受信した前記ダイレクトインダイヤル番号リストを表示するダイレクトインダイヤル番号リスト表示手段とを具備し、
前記ダイレクトインダイヤル番号リストを前記ダイレクトインダイヤル番号リスト表示手段が表示しているとき、選択されたダイレクトインダイヤル番号を送信することを特徴とする電話装置。
【発明の詳細な説明】
【技術分野】
【０００１】
本発明は電話システムおよび電話装置に係り、ダイレクトインダイヤルの通知機能を有する電話システムおよび電話装置に関する。
【背景技術】
【０００２】
ダイレクトインダイヤルは、発呼者がＰＢ(Push Button)信号で内線番号をダイヤルすることによって、外線から特定の内線電話機を呼び出す機能である。従って、ダイレクトインダイヤルを用いた発信を行う際には、相手先の電話番号のダイヤルに続けて、さらに内線番号（ダイレクトインダイヤル番号）をダイヤルするため、ダイヤル桁数が多くダイヤルに手間がかかる。
【０００３】
これを解決する手段として、特許文献１には局線番号とダイレクトインダイヤル番号をペアで短縮ダイヤルに登録することで１回のダイヤルでダイレクトインダイヤルを使用可能とする方法が記載されている。しかし、特許文献１に記載の技術では、短縮ダイヤルを事前に登録する必要がある。また、ダイレクトインダイヤルでは、内線端末を呼び出すためのダイレクトインダイヤル（ＤＩＤ）番号を予め知っておく必要がある。
【０００４】
【特許文献１】特開昭６０−１００８６３号公報
【発明の開示】
【発明が解決しようとする課題】
【０００５】
本発明の目的は、ダイレクトインダイヤル番号を短縮ダイヤルに登録しなくても、ダイヤルの手間を解消する電話システムおよび電話装置を提供することにある。
【課題を解決するための手段】
【０００６】
上述した課題は、外線と内線とを収容する主装置と、内線に接続される内線端末から成り、主装置は、内線端末のダイレクトインダイヤル番号を通知するダイレクトインダイヤル番号通知手段を具備し、外線から、着信後予め設定された特定のコマンドを受信したとき、ダイレクトインダイヤル番号通知手段は、内線端末のダイレクトインダイヤル番号リストを外線へ送信する電話システムにより、達成できる。
【０００７】
また、通信相手からのダイレクトインダイヤル番号リストを受信するダイレクトインダイヤル番号リスト受信手段と、受信したダイレクトインダイヤル番号リストを表示するダイレクトインダイヤル番号リスト表示手段とを具備し、ダイレクトインダイヤル番号リストをダイレクトインダイヤル番号リスト表示手段が表示しているとき、選択されたダイレクトインダイヤル番号を送信する電話装置により、達成できる。
【発明の効果】
【０００８】
ダイレクトインダイヤル番号のダイヤルにかかる手間を低減した電話システムおよび電話装置を提供できる。
【発明を実施するための最良の形態】
【０００９】
以下、本発明の実施の形態について、実施例を用い図１から図５を参照しながら詳細に説明する。なお、実質同一部位には同じ参照番号を振り、説明は繰り返さない。ここで、図１は電話システムの構成図である。図２は内線電話システムの機能ブロック図である。図３は電話機の機能ブロック図である。図４は内線電話機と主装置とネットワークと電話機との間のシーケンス図である。図５は主装置のフローチャートである。
【００１０】
図１において、電話ネットワーク１０は内線電話システム２、ネットワーク１、電話機３とから構成される。さらに、内線電話システム２は主装置２１０とｎ台の内線電話機２４０から構成される。ネットワーク１は公衆ネットワーク網、または専用ネットワーク網である。電話機３は電話システム２へ発信し、電話機３がダイレクトインダイヤル番号リストを受信後、内線電話機２４０を選択して呼び出す。以後、ダイレクトインダイヤルをＤＩＤと略す。
ここでは、公衆ネットワーク網として一般的なアナログ網に接続される場合を説明する。
【００１１】
図２において、内線電話システム２は、主装置２１０とｎ台の内線電話機２４０とから構成されるが、図示の簡便のため１台の内線電話機２４０のみ図示している。内線電話機２４０は、表示部２４１、操作部２４２、スピーカ２４３、マイク２４４、主装置接続部２４６、制御部２４５から構成される。表示部２４１は、液晶表示部であり、発呼電話番号等を表示する。操作部２４２は、電話番号等のＫＥＹ入力部である。スピーカ２４３およびマイク２４４は、音声の出力と入力を行う。主装置接続部２４６は、主装置２１０との入出力を行う。制御部２４５は、内線電話機２４０の各部を制御する。
【００１２】
主装置２１０は、内線電話機接続部２１１、表示制御部２１２、音声制御部２１３、メモリ部２１４、外線接続部２１５、モデム信号制御部２１７、電源２１８、制御部２１６から構成される。内線電話機接続部２１１は、内線電話機２４０との入出力を行う。表示制御部２１２は、内線電話機２４０の表示データ制御を行う。音声制御部２１３は、内線電話機２４０の音声データの制御を行う。音声制御部２１３は、また外線からの接続に対して応答メッセージの送出を行う。メモリ部２１４は、各内線電話２４０のＤＩＤ番号、ＤＩＤ番号リスト送信許可先データベース（ＤＢ）等のデータを記憶する。外線接続部２１５は、外線との入出力を行う。モデム信号制御部２１７は、受信したモデム信号の解析を行う。電源２１８は、内線電話システム２の各部に電源供給を行う。制御部２１６は、主装置２１０の各部、内線電話機２４０の制御部２４５を制御する。
【００１３】
なお、図示しないＤＩＤ番号リスト送信許可先ＤＢは、複数の発呼電話番号とＤＩＤ番号リストの複数の組である。すなわち、ＤＩＤ番号リスト送信許可先ＤＢは、予め登録された系列会社からの着信には、全てのＤＩＤ番号を通知し、予め登録された顧客等からの着信には、特定部門のみ通知し、送信許可先に該当しない発呼電話番号には、予め登録されたオペレータ等の特定担当者のＤＩＤ番号を通知するよう構成する。
【００１４】
図３において、電話機３は、表示部３０１、スピーカ３０２、マイク３０３、操作部３０４、表示制御部３０５、音声制御部３０６、メモリ部３０８、外線接続部３０９、モデム信号制御部３１０、電源３１１、制御部３０７から構成される。表示部３０１は、液晶表示部であり、発呼番号や電話番号リスト等を表示する。スピーカ３０２およびマイク３０３は、音声の出入力を行う。操作部３０４は、電話番号等のＫＥＹ入力部である。表示制御部３０５は、表示データの制御を行う。音声制御部３０６は、音声データの処理を行う。メモリ部３０８は、相手毎の電話番号、受信したＤＩＤ番号と外線電話番号等のデータを保存する。外線接続部３０９は、外線との入出力を行う。モデム信号制御部３１０は、受信したモデム信号の解析を行う。電源３１１は、電話機３の各部への電源供給を行う。制御部３０７は、電話機３の各部を制御する。
【００１５】
図４において、電話機３のユーザの操作により、電話機３は、オフフック信号をネットワーク１に送出する（Ｓ４０１）。電話機３は、主装置２１０の局番号をダイヤルする（Ｓ４０２）。ネットワーク１は、主装置２１０への信号線の極性を反転する（Ｓ４０３）。ネットワーク１は、電話機３にＲＢＴ（Ring Back Tone）を送信し（Ｓ４０４）、さらに情報受信端末起動信号（ＣＡＲ）を主装置２１０に送信する（Ｓ４０５）。主装置２１０は、外線をループ閉成することで一次応答する（Ｓ４０６）。
【００１６】
ネットワーク１は、発番号情報を主装置２１０に送信する（Ｓ４０７）。主装置２１０は、モデム信号制御部２１７でモデム信号を受信し、制御部２１６で解析することで発呼番号（発番号）情報を取得する。発番号情報の受信完了で受信完了信号としてループ断によりネットワーク１に通知する（Ｓ４０８）。
【００１７】
ここで、主装置２１０の制御部２１６は、ＤＩＤ番号リスト送信許可先ＤＢに記録された外線番号と、取得した相手発番号を比較する（Ｓ４０９）。ここでは、一致しているとする。
【００１８】
ネットワーク１は、主装置２１０に呼出信号（ＩＲ）を送信する（Ｓ４１０）。ＩＲを受信した主装置２１０は、再びループ閉成することで二次応答する（Ｓ４１１）。二次応答を受信したネットワーク１は、発呼電話機３の信号線を極性反転し（Ｓ４１２）、主装置２１０の信号線を極性復極する（Ｓ４１３）。この結果、電話機３と主装置２１０とは、接続状態となる。
【００１９】
電話機３が、ステップ４０９で送信を許可したとき、かつステップ４０２で予め設定された特定のダイヤル番号を発信したとき、またはＤＩＤ番号リスト受信要求を送信したとき、主装置２１０は発番号に対応するＤＩＤ番号リストを送信する。ここでは、後者とする。
【００２０】
電話機３は、ＤＩＤ番号リスト受信要求を主装置２１０に送信する（Ｓ４１５）。ＤＩＤ番号リスト受信要求を受信した主装置２１０は、電話機３にＤＩＤ番号リストを送信する（Ｓ４１６）。電話機３は、受信したＤＩＤ番号リストを表示部３０１に表示し（Ｓ４１７）、ユーザの選択により、ＤＩＤ番号を主装置２１０に送信する（Ｓ４１９）。主装置２１０は、受信したＤＩＤ番号を制御部２１６で解析し、内線電話機２４０を呼び出す（Ｓ４２０）。内線電話機２４０は、オフフックすることによって、応答を主装置２１０に送信する（Ｓ４２１）。主装置２１０は、内線電話機２４０の応答を検出し、電話機３は応答信号を送出する（Ｓ４２２）この応答信号を電話機３が受信することで、電話機３と内線電話機２４０は、通話状態となる。
【００２１】
図５において、主装置２１０は、ネットワーク１から発番号情報を受信する（Ｓ４０７）と、受信完了信号をネットワーク１に返信する（Ｓ４０８）。主装置２１０は、ステップ４０７で受信した発番号がＤＩＤ番号リスト送信許可先ＤＢに登録されているか検索する（Ｓ４０９１）。ステップ４０９２は、その判定ステップであり、登録されているなら（ＹＥＳ）、ＤＩＤリスト送信可否ステイタスに送信許可を設定する（Ｓ４０９３）。ステップ４０９２がＮＯなら、ＤＩＤリスト送信可否ステイタスに送信禁止を設定する（Ｓ４０９４）。ステップ４０９１からステップ４０９３またはステップ４０９４が、ＤＩＤ番号リスト送信可否判定処理である（Ｓ４０９）。
【００２２】
ステップ４０９３またはステップ４０９４から、ステップ４１０に遷移し、主装置２１０は、ネットワーク１からのＩＲを受信する。ＩＲを受信した主装置２１０は、ネットワーク１に、二次応答を送信する（Ｓ４１１）。主装置２１０は、ネットワーク１による極性復極を検出する（Ｓ４１３）と、ＤＩＤリスト受信要求を待つ（Ｓ４１５）。一定時間内にＤＩＤリスト受信要求があれば（ＹＥＳ）、ＤＩＤリスト送信可否ステイタスを判定するステップ４２４に遷移する。一方、ステップ４１５で、一定時間内にＤＩＤリスト受信要求がなければ（ＮＯ）、ステップ４１９に遷移する。ステップ４２４で、送信許可ならば電話機３にＤＩＤ番号リストを送信し（Ｓ４１６）、ステップ４１９に遷移する。一方、ステップ４２４で、送信禁止ならば電話機３にオペレータのＤＩＤ番号を送信し（Ｓ４２５）、ステップ４１９に遷移する。
【００２３】
ステップ４１９では、主装置２１０は、電話機３からのＤＩＤ番号を受信し、当該内線を呼び出す（Ｓ４２０）。主装置２１０は、内線電話２４０からの応答信号を受信して（Ｓ４２１）、電話機３に応答信号を送信する（Ｓ４２２）。
なお、応答を待つステップでは、適宜タイムアウトしてよい。
【００２４】
本実施例に拠れば、ＤＩＤ番号のダイヤルにかかる手間を低減した電話システムおよび電話装置を提供できた。
【図面の簡単な説明】
【００２５】
【図１】電話ネットワークの構成図である。
【図２】内線電話システムの機能ブロック図である。
【図３】電話機の機能ブロック図である。
【図４】内線電話機、主装置、ネットワークおよび電話機のシーケンス図である。
【図５】主装置におけるダイレクトインダイヤル番号リスト送信に係るフローチャートである。
【符号の説明】
【００２６】
１…ネットワーク、２…内線電話システム、３…電話機、１０…電話ネットワーク、２１０…主装置、２４０…内線電話機。
【図１】
2008060826.tif 000003
【図２】
2008060826.tif 000004
【図３】
2008060826.tif 000005
【図４】
2008060826.tif 000006
【図５】
2008060826.tif 000007